(57)【要約】【課題】識別できる情報の種類に限りがなく、高い精度で認証ができ、しかも認証を行う現場で直ちに必要な情報を即時に得ることができる、ＤＮＡ塩基配列を識別情報として使用する識別情報保持物、識別対象物及び認証方法を提供する。【解決手段】本発明にかかる識別情報保持物(1)或いは識別対象物(6)は、アデニン(A)、シトシン(C)、グアニン(G)、チミン(T)で構成した人工ＤＮＡ(2)と、所定の線スペクトル(5)が得られる発光をする蛍光剤(3)を包含していることを特徴とする。また、本発明にかかる認証方法は、本発明にかかる識別対象物(6)を用いたもので、該人工ＤＮＡを抽出、分析することで再現される塩基配列情報を第１の識別情報とし、該線スペクトルを分析することで得られる情報を第２の識別情報として使用することを特徴とする。該線スペクトルは該人工ＤＮＡに関連付けられていてもよい。【選択図】図１
2005055735.tif 000002
【特許請求の範囲】
【請求項１】
アデニン(A)、シトシン(C)、グアニン(G)、チミン(T)で構成した人工ＤＮＡ(2)と、所定の線スペクトル(5)が得られる発光をする蛍光剤(3)を包含していることを特徴とする識別情報保持物(1)。
【請求項２】
該包含は、該人工ＤＮＡ(2)と該蛍光剤(3)が単一の基材に混在しているものである請求項１に記載の識別情報保持物(1)。
【請求項３】
該包含は、該人工ＤＮＡ(2)と該蛍光剤(3)が異なる基材に各別に存在しているものである請求項１に記載の識別情報保持物(1')。
【請求項４】
該線スペクトル(5)は該人工ＤＮＡ(2)に関連付けられている請求項１〜３のいずれか一つの項に記載の識別情報保持物(1又は1')。
【請求項５】
該関連付けが、該人工ＤＮＡ(2)の区分により、なされている請求項４に記載の識別情報保持物(1又は1')。
【請求項６】
該関連付けが、該人工ＤＮＡ(2)の所定箇所における該塩基の種類により、なされている請求項４に記載の識別情報保持物(1又は1')。
【請求項７】
該関連付けが、該人工ＤＮＡ(2)に関する情報をデジタル信号化して得られるデータの桁を該線スペクトル(5)の波長に対応させ、該桁における数値を該波長の該線スペクトル(5)の発光強度に対応させることにより、なされている請求項４に記載の識別情報保持物(1又は1')。
【請求項８】
アデニン(A)、シトシン(C)、グアニン(G)、チミン(T)で構成した人工ＤＮＡ(2)と、所定の線スペクトル(5)が得られる発光をする蛍光剤(3)を包含していることを特徴とする識別対象物(6)。
【請求項９】
該包含は、自身が該人工ＤＮＡ(2)と該蛍光剤(3)を有しているものである請求項８に記載の識別対象物。
【請求項１０】
該包含は、該人工ＤＮＡ(2)と該蛍光剤(3)が、自身に付着している識別情報保持物(1)において単一の基材に混在しているものである請求項８に記載の識別対象物(6)。
【請求項１１】
該包含は、該人工ＤＮＡ(2)と該蛍光剤(3)が、自身を覆っている識別情報保持物(1)において単一の基材に混在しているものである請求項８に記載の識別対象物(6)。
【請求項１２】
該包含は、該人工ＤＮＡ(2)と該蛍光剤(3)が、自身に付着している識別情報保持物(1')において異なる基材に各別に存在しているものである請求項８に記載の識別対象物(6)。
【請求項１３】
該包含は、該人工ＤＮＡ(2)と該蛍光剤(3)が、自身を覆っている識別情報保持物(1')において異なる基材に各別に存在しているものである請求項８に記載の識別対象物(6)。
【請求項１４】
該線スペクトル(5)は該人工ＤＮＡ(2)に関連付けられている請求項８〜１３のいずれか一つの項に記載の識別対象物。
【請求項１５】
該関連付けが、該人工ＤＮＡ(2)の区分により、なされている請求項１４に記載の識別対象物(6)。
【請求項１６】
該関連付けが、該人工ＤＮＡ(2)の所定箇所における該塩基の種類により、なされている請求項１４に記載の識別対象物(6)。
【請求項１７】
該関連付けが、該人工ＤＮＡ(2)に関する情報をデジタル信号化して得られるデータの桁を該線スペクトル(5)の波長に対応させ、該桁における数値を該波長の該線スペクトル(5)の発光強度に対応させることにより、なされている請求項１４に記載の識別対象物(1又は1')。
【請求項１８】
アデニン(A)、シトシン(C)、グアニン(G)、チミン(T)で構成した人工ＤＮＡ(2)と、所定の線スペクトル(5)が得られる発光をする蛍光剤(3)を包含する識別対象物(6)を用いたもので、
該人工ＤＮＡ(2)を抽出、分析することで再現される塩基配列情報を第１の識別情報とし、該線スペクトル(5)を分析することで得られる情報を第２の識別情報として使用することを特徴とする認証方法。
【請求項１９】
該包含は、該識別対象物(6)が該人工ＤＮＡ(2)と該蛍光剤(3)を有しているものである請求項１８に記載の認証方法。
【請求項２０】
該包含は、該人工ＤＮＡ(2)と該蛍光剤(3)が、該識別対象物(6)に付着している識別情報保持物(1)において単一の基材に混在しているものである請求項１８に記載の認証方法。
【請求項２１】
該包含は、該人工ＤＮＡ(2)と該蛍光剤(3)が、該識別対象物(6)を覆っている識別情報保持物(1)において単一の基材に混在しているものである請求項１８に記載の認証方法。
【請求項２２】
該包含は、該人工ＤＮＡ(2)と該蛍光剤(3)が、該識別対象物(6)に付着している識別情報保持物(1')において異なる基材に各別に存在しているものである請求項１８に記載の認証方法。
【請求項２３】
該包含は、該人工ＤＮＡ(2)と該蛍光剤(3)が、該識別対象物(6)を覆っている識別情報保持物(1')において異なる基材に各別に存在しているものである請求項１８に記載の認証方法。
【請求項２４】
該線スペクトル(5)は該人工ＤＮＡ(2)に関連付けられている請求項１８〜２３のいずれか一つの項に記載の認証方法。
【請求項２５】
該関連付けが、該人工ＤＮＡ(2)の区分によりなされており、該第２の識別情報は該人工ＤＮＡ(2)の区分である請求項２４に記載の認証方法。
【請求項２６】
該関連付けが、該人工ＤＮＡ(2)の所定箇所における該塩基の種類によりなされており、該第２の識別情報は該人工ＤＮＡ(2)の該塩基配列情報の一部を抽出した短い塩基配列情報である請求項２４に記載の認証方法。
【請求項２７】
該関連付けが、該人工ＤＮＡ(2)に関する情報をデジタル信号化して得られるデータの桁を該線スペクトル(5)の波長に対応させ、該桁における数値を該波長の該線スペクトル(5)の発光強度に対応させることにより、なされており、該第２の識別情報は該人工ＤＮＡ(2)に関する情報をデジタル信号化した情報である請求項２４に記載の認証方法。
【発明の詳細な説明】
【技術分野】
【０００１】
本発明は、ＤＮＡ塩基配列を識別情報として使用する識別情報保持物、識別対象物及び認証方法に関するものである。
【背景技術】
【０００２】
近年、偽造品の流通、社会安全性の低下等の理由から、商品や利用者を認証する技術の必要性が高まっている。そして、認証精度を高めるための手段として、例えば、特開２００２−２５３２０３号公報には、個人を特定するＤＮＡの塩基配列情報をデジタル信号化して固定用物に固定させた識別情報表示物が開示されている。この識別情報表示物によれば、識別情報は各人に固有で規則性のないランダムな要素配列となり、第三者には偽造や模造が困難となるので、有効な識別手段として認証に利用することができる。
【０００３】
しかしながら、上記識別情報表示物は、そこに固定された情報は識別手段として優れているものの、識別情報表示物そのものが複製された場合には、適正な認証を行うことができなくなってしまうという問題があった。そこで、識別情報保持物そのものの複製を防止するためのものとして、識別手段を付加する添加物が特開２００３−１５７００４号公報に開示されている。この添加物は、識別情報において繰り返し出現する、複数の記号の複数のパターン毎に、特定の物質を対応させて構成した組成物からなるものである。そして、その組成物そのものが識別手段となり、識別情報は分析作業によらなければ得ることができなくなるため、この添加物やこの添加物が添加された識別情報保持物は、第三者が簡単に複製できないものとなる。
【０００４】
一方、商品の真偽ではなく、材質そのものを識別するための技術としては、例えば、国際特許出願ＰＣＴ／ＪＰ０２／１３７０５に開示された識別方法が考案されている。この識別方法は、放射される線スペクトルの半値幅（発光強度の半値における波長幅）が狭く、かつ発光強度が強い化合物を目的の材料に含有させ、放射される線スペクトルを利用して識別を行うというものである。
【特許文献１】特開２００２−２５３２０３号公報
【特許文献２】特開２００３−１５７００４号公報
【特許文献３】ＰＣＴ／ＪＰ０２／１３７０５
【発明の開示】
【発明が解決しようとする課題】
【０００５】
しかしながら、上記添加物又はその添加物を含む識別情報保持物によれば、そこに含まれた情報を抽出するための分析に時間を要するため、現場で即時に商品や利用者を認証できず、また必要な情報を即時に得ることができないという問題があった。更に、上記添加物として人工ＤＮＡが有用と考えられているが、その人工ＤＮＡは紫外線や高い温度に曝されると劣化して損傷を受け、識別能力を失うおそれがあった。
【０００６】
これに対し、上記識別方法によれば、現場で所定の光を照射し、材料から放射される線スペクトルを検出すれば、その線スペクトルに対応させた所定の暗号情報を即時に抽出することができる。しかしながら、この方法において、使用する線スペクトルが、波長の近い類似の特徴を持つ他のスペクトルと重なりあうものであると、その特定が困難となる。従って、使用する化合物は線スペクトルの半値幅が狭くかつ発光強度の強いものに限定されるが、その条件に適合する化合物は現在ではあまり多く見出されていない。また、その様な化合物を多種類使用するとコストの上昇や製品の品質に好ましくない影響を与えるおそれがある。そのため、この方法では、線スペクトルに対応させる暗号情報の種類に限りがあるという問題があった。
【０００７】
そこで、本発明の目的は、識別できる情報の種類に限りがなく、高い精度で認証ができ、しかも認証を行う現場で直ちに必要な情報を即時に得ることができる、ＤＮＡ塩基配列を識別情報として使用する識別情報保持物、識別対象物及び認証方法を提供することにある。
【課題を解決するための手段】
【０００８】
本発明にかかる識別情報保持物は、アデニン、シトシン、グアニン、チミンで構成した人工ＤＮＡと、所定の線スペクトルが得られる発光をする蛍光剤を包含していることを特徴とする。なお、本発明において人工ＤＮＡとは、複数の記号が複数のパターンで繰り返し出現して構成される識別情報に従って、アデニン、シトシン、グアニン、チミンの何れかの塩基を各パターン同士で重複することなく対応させて構成したものである。例えば、人工ＤＮＡを構成する基となる識別情報がデジタル信号化されたものであれば、繰り返し出現する００、０１、１０、１１の各パターンにアデニン、シトシン、グアニン、チミンの何れかの塩基を各パターン同士で重複することなく対応させることにより構成されたものである。また、本発明にかかる識別対象保持物は、例えば、識別対象物に付着させるラベル、タグ、インキ、塗料、コーティング剤、或いは識別対象物との一体性が保証されれば包装材料や容器であってもよい。そして、ラベルやタグを構成する紙、繊維材料、プラスチック組成物も、本発明にかかる識別対象保持物となり得る。
【０００９】
該包含は、該人工ＤＮＡと該蛍光剤が単一の基材に混在しているものであってもよく、或いは該人工ＤＮＡと該蛍光剤が異なる基材に各別に存在しているものであってもよい。
【００１０】
本発明にかかる識別対象物は、アデニン、シトシン、グアニン、チミンで構成した人工ＤＮＡと、所定の線スペクトルが得られる発光をする蛍光剤を包含していることを特徴とする。
【００１１】
本発明にかかる識別対象物において、該包含は、自身が該人工ＤＮＡと該蛍光剤を有しているものであってもよい。なお、本発明において、識別対象物自身が人工ＤＮＡと蛍光剤を有する形態として、例えば、識別対象物或いはその部品を構成するプラスチック組成物、紙、繊維等の材料そのものに人工ＤＮＡと蛍光剤が直接混入されている場合が挙げられる。
【００１２】
また、該包含は、該人工ＤＮＡと該蛍光剤が、該識別対象物自身に付着している、或いは該識別対象物自身を覆っている識別情報保持物において単一の基材に混在しているものであってもよい。更に、該包含は、該人工ＤＮＡと該蛍光剤が、該識別対象物自身に付着している、或いは該識別対象物自身を覆っている識別情報保持物において異なる基材に各別に存在しているものであってもよい。
【００１３】
本発明にかかる識別情報保持物又は識別対象物において、該線スペクトルは該人工ＤＮＡに関連付けられていてもよい。そして、この場合、該関連付けが、該人工ＤＮＡの区分によりなされていてもよく、或いは、該人工ＤＮＡの所定箇所における該塩基の種類によりなされていてもよい。更に、人工ＤＮＡに関する情報をデジタル信号化して得られるデータの桁を該線スペクトルの波長に対応させ、該桁における数値を該波長の該線スペクトルの発光強度に対応させることによりなされていてもよい。なお、本発明において人工ＤＮＡの区分とは、識別対象の種別（人か物か）、利用者の性別、物の生産地等の所定の情報項目に従って分けられる、人工ＤＮＡの種別である。
【００１４】
本発明にかかる認証方法は、本発明にかかる識別対象物を用いたもので、該人工ＤＮＡを抽出、分析することで再現される塩基配列情報を第１の識別情報とし、該線スペクトルを分析することで得られる情報を第２の識別情報として使用することを特徴とする。
【００１５】
本発明にかかる認証方法において、該含有は、該識別対象物が該人工ＤＮＡと該蛍光剤を有しているものであってもよい。
【００１６】
また、該包含は、該人工ＤＮＡと該蛍光剤が、該識別対象物に付着している、或いは該識別対象物を覆っている識別情報保持物において単一の基材に混在しているものであってもよい。更に、該包含は、該人工ＤＮＡと該蛍光剤が、該識別対象物に付着している、或いは該識別対象物を覆っている識別情報保持物において異なる基材に各別に存在しているものであってもよい。
【００１７】
本発明にかかる認証方法において、該線スペクトルは該人工ＤＮＡに関連付けられていてもよい。そして、この場合、該関連付けは、該人工ＤＮＡの区分によりなされており、該第２の識別情報は該人工ＤＮＡの区分であってもよい。或いは、該関連付けは、該人工ＤＮＡの所定箇所における該塩基の種類によりなされており、該第２の識別情報は該人工ＤＮＡの該塩基配列情報の一部を抽出した短い塩基配列情報であってもよい。更に、該関連付けは、該人工ＤＮＡに関する情報をデジタル信号化して得られるデータの桁を該線スペクトルの波長に対応させ、該桁における数値を該波長の該線スペクトルの発光強度に対応させることにより、なされており、該第２の識別情報は該人工ＤＮＡに関する情報をデジタル信号化した情報であってもよい。
【発明の効果】
【００１８】
本発明にかかる識別情報保持物及び識別対象物によれば、人工ＤＮＡを抽出、分析することにより、必要に応じてＤＮＡの塩基配列情報を得ることができるので、その塩基配列情報を識別情報とする認証に利用できる。この際、利用する塩基配列情報は、必要に応じて長くしても抽出、分析が可能であり、その種類の数はほぼ無限であり、しかもそこに含まれる情報量は極めて多いため高い精度での認証が可能となる。一方、線スペクトルに所定の情報を関連付けておけば、その情報は蛍光剤の発光から得られる線スペクトルを分析することにより特定される。従って、認証を行う現場で直ちに必要な情報を、線スペクトルに関連付けておくことにより、即時に得ることが可能となる。
【００１９】
なお、蛍光剤の発光から得られる線スペクトルは、元素の組み合わせや製造方法により波長がシフトしたり強度が変わったりするため、蛍光剤の元素配合や製造方法を知らない第三者が正規の線スペクトルを発光する識別情報保持物や識別対象物を偽造することは極めて困難となる。そのため、線スペクトルの正誤により、認証を行うこともできる。また、蛍光剤として無機化合物を使用すると、識別情報保持物または識別対象物が紫外線や高い温度に曝され、仮に人工ＤＮＡが損傷を受けてその分析・解読が困難になったような場合でも、蛍光剤に識別情報が保存されるため認証を行うことが可能となる。
【００２０】
更に、線スペクトルは、画像として読み込むことにより、視認可能データとしての保存や利用が可能となる。
【００２１】
なお、本発明にかかる識別対象物自身が人工ＤＮＡと蛍光剤を有する場合、識別対象物と識別情報が一体不可分となり、識別対象物に正しい識別情報を確実に対応させることができる。
【００２２】
一方、本発明にかかる識別対象物において、人工ＤＮＡと蛍光剤を、識別対象物を覆う識別情報保持物又は識別対象物に付着させた識別情報保持物に包含させることで、識別対象物にその形状や形態に関わらず識別情報を付加することができるようになる。
【００２３】
また、本発明にかかる識別情報保持物又は識別対象物において、人工ＤＮＡと蛍光剤を単一の基材に混在させた場合、コスト低減を図ることができ、また識別対象物への付着作業等を簡略化できる。一方、人工ＤＮＡと蛍光剤を異なる基材に各別に存在させた場合、人工ＤＮＡと蛍光剤を同一の物質に混在させることが困難な場合でも適用することができる。
【００２４】
また、本発明にかかる識別情報保持物又は識別対象物において、線スペクトルを人工ＤＮＡに関連付けておくことにより、人工ＤＮＡの塩基配列情報に含まれるより多くの情報を有効に利用することができる。更に、この場合、線スペクトルを人工ＤＮＡに、人工ＤＮＡの区分により関連付けておくことにより、種類の少ない線スペクトルと種類数がほぼ無限となる人工ＤＮＡをうまく関連付けることが可能となる。
【００２５】
更にまた、線スペクトルを人工ＤＮＡに、人工ＤＮＡの所定箇所における塩基の種類により関連付けておくことにより、人工ＤＮＡの塩基配列の一部を抽出した短い塩基配列情報のみであれば、線スペクトルの分析のみで、直接かつ即時に抽出することが可能となる。
【００２６】
更にまた、人工ＤＮＡに関する情報をデジタル信号化して得られるデータの桁を線スペクトルの波長に対応させ、その桁における数値をその波長の線スペクトルの発光強度に対応させることにより、人工ＤＮＡが保持するより多くの情報を直接かつ即時に抽出することが可能となる。
【００２７】
本発明にかかる認証方法によれば、種類の数がほぼ無限で情報量も多い第１の識別情報と、必要に応じて即時に抽出できる第２の識別情報を組み合わせて使用することにより、現場で直ちに必要な情報は即時に抽出でき、しかも識別できる情報の種類に限りがなく、精度の高い認証を行うことができる。特に、人工ＤＮＡの塩基配列情報がなくても第２の識別情報のみで認証できる場合は、現場で即時に認証ができるようになる。なお、蛍光剤の元素配合や製造方法を知らない第三者が正規の線スペクトルを発光する識別情報保持物や識別対象物を偽造することは極めて困難となることから、線スペクトルの正誤によっても、現場で即時に認証を行うことが可能となる。
【００２８】
また、可能であれば人工ＤＮＡと蛍光剤を識別対象物に含有させることにより識別情報保持物の入れ替わりによる誤認証の発生を防止できる。
【００２９】
また、本発明にかかる認証方法において、人工ＤＮＡと蛍光剤を、識別対象物を覆う識別情報保持物又は識別対象物に付着させた識別情報保持物に包含させることで、その形状や形態に関わらずあらゆる識別対象物の認証を行うことができる。更に、これらの場合、人工ＤＮＡと蛍光剤を単一の基材に混在させることにより、コスト低減を図ることができ、また識別対象物への付着作業等を簡略化できる。一方、人工ＤＮＡと蛍光剤を異なる基材に各別に存在させることで、人工ＤＮＡと蛍光剤を同一の物質に混在させることが困難な場合でも適用することができる。
【００３０】
更に、本発明にかかる認証方法において、線スペクトルを人工ＤＮＡに関連付けておくことにより、人工ＤＮＡの塩基配列情報に含まれるより多くの情報を有効に利用することができる。更にまた、この場合、線スペクトルを人工ＤＮＡに、人工ＤＮＡの区分により関連付けておき、第２の識別情報を人工ＤＮＡの区分とすることにより、種類の少ない第２の識別情報と種類数がほぼ無限となる第１の識別情報をうまく関連付けることが可能となる。
【００３１】
更にまた、線スペクトルを人工ＤＮＡに、人工ＤＮＡの所定箇所における塩基の種類により関連付けておき、第２の識別情報を人工ＤＮＡの塩基配列情報の一部を抽出した短い塩基配列情報とすることにより、短い塩基配列情報のみであれば認証現場で即時に抽出し塩基配列情報そのものを直接利用することが可能となる。
【００３２】
更にまた、人工ＤＮＡに関する情報をデジタル信号化して得られるデータの桁を線スペクトルの波長に対応させ、その桁における数値をその波長の線スペクトルの発光強度に対応させることにより、人工ＤＮＡが保持するより多くの情報を直接かつ即時に抽出することが可能となる。
【発明を実施するための最良の形態】
【００３３】
図１を参照しながら、本発明にかかる識別情報保持物、識別対象物及び認証方法の具体例を説明する。図１は、本発明にかかる識別情報保持物及び識別対象物とそこで使用されるＤＮＡ塩基配列並びにその発光から得られる線スペクトルを示す概念図であり、（ａ）識別情報保持物及び識別対象物の構成を、（ｂ）は人工ＤＮＡを、（ｃ）は線スペクトルを示している。
【００３４】
図１（ａ）の識別対象物６は認証の対象であり、商品のブランドを示すラベル７が付されている。そして、このラベル７は、アデニンＡ、シトシンＣ、グアニンＧ、チミンＴで構成した人工ＤＮＡ２と、所定の線スペクトル５が得られる発光をする蛍光剤３を包含する識別情報保持物１であるインクを使用して印刷されている。
【００３５】
この識別情報保持物１及び識別対象物６によれば、人工ＤＮＡ２を抽出、分析することにより、必要に応じてＤＮＡの塩基配列情報を得ることができるので、その塩基配列情報を識別情報とする認証に利用できる。この際、利用する塩基配列情報は、必要に応じて長くしても抽出、分析が可能であり、その種類の数はほぼ無限であり、しかもそこに含まれる情報量は極めて多いため高い精度での認証が可能となる。一方、線スペクトル５に所定の情報を関連付けておけば、その情報は蛍光剤３の発光から得られる線スペクトル５を分析することにより特定される。従って、認証を行う現場で直ちに必要な情報を、線スペクトル５に関連付けておくことにより、即時に得ることが可能となる。また、蛍光剤３の元素配合や製造方法を知らない第三者が正規の線スペクトル５を発光する識別情報保持物や識別対象物を偽造することは極めて困難となるため、線スペクトル５の正誤により、認証を行うこともできる。更に、線スペクトル５は、画像として読み込むことにより、視認可能データとしての保存や利用が可能になる。
【００３６】
また、人工ＤＮＡ２と蛍光剤３が、ラベル７の印刷されるインクに混在しているので、ラベル７を識別対象物６に付着させるだけで、その形状や形態に関わらず識別情報を付加することができる。更に、ラベル７は、識別情報保持物１であるインクを使用して印刷するのみで製造でき、コスト低減を図ることができ、また識別対象物への付着作業等が簡素化され容易に使用することができる。
【００３７】
人工ＤＮＡ２は、識別対象物６の販売者のＤＮＡと、製造地、製造時期等所定の情報を基にして得られた情報をデジタル信号４とし、繰り返し出現する００、０１、１０、１１の各パターンにアデニンＡ、シトシンＣ、グアニンＧ、チミンＴをそれぞれ対応させて構成されている。ただし、００、０１、１０、１１の各パターンに対応させる塩基は、各パターン同士で重複することがなければどのような対応の組み合わせであってもよい。なお、人工ＤＮＡ２を構成するにあたり、商品の販売者のＤＮＡ塩基配列をそのまま人工ＤＮＡ２に反映させることも可能であるが、個人情報を保護する観点から個人のＤＮＡが不特定多数の者に知られないようにするため、元のＤＮＡを加工して得られた情報を利用することが好ましい。また、人工ＤＮＡ２を構成する基となる情報に販売者のＤＮＡを含めず、任意の所定情報のみとすることもできるが、ＤＮＡの塩基配列情報は個人により必ず異なり重複するおそれがないため、認証のための識別情報として特に優れている。識別対象が肉等の食品であれば、その個体を特定するＤＮＡを利用する場合も同様である。
【００３８】
蛍光剤３には、異なる波長λ１、λ２、λ３及びλ４の線スペクトルが得られる発光をする４種類の化合物Ｗ、Ｘ、Ｙ及びＺが使用されている。そして、線スペクトル５は人工ＤＮＡ２に、人工ＤＮＡ２の区分により関連付けられている。なお、人工ＤＮＡ２の区分数は１５となっており、線スペクトル５と人工ＤＮＡ２の区分との関連付けは表１に示すものとなっている。
【表１】
2005055735.tif 000003
例えば、全ての波長λ１、λ２、λ３及びλ４にピークを有する線スペクトルは、区分１５に属する人工ＤＮＡ２と関連付けられることになる。
【００３９】
このように、線スペクトル５を人工ＤＮＡ２に、人工ＤＮＡ２の区分により関連付けておくことにより、種類の少ない線スペクトルと種類数がほぼ無限となる人工ＤＮＡ２をうまく関連付けることが可能となり、人工ＤＮＡ２の塩基配列情報に含まれるより多くの情報を有効に利用することができる。
【００４０】
人工ＤＮＡ２には１５種類のものが使用され、前記区分は、人工ＤＮＡ２の種類毎に付された番号に従ったものとなっている。また、人工ＤＮＡ２は、販売者のＤＮＡに関する情報と、識別対象物６の属性に関する情報を保持している。前者は、いわばブランドを示し、認証用に使用されるもので、１５の種類全てにおいて内容が共通するものとなっている。一方後者は、人工ＤＮＡ２が付された識別対象物６に関する情報を提示するものであり、製造地や製造時期など種類によっては内容が共通する部分と、個別の製造情報のように１５の種類全てにおいて内容が異なる部分とから構成されている。人工ＤＮＡ２の種類とそこに保持される情報の内容、及び区分との関係を表２に示す。
【表２】
2005055735.tif 000004
表２において、情報Ｊは、販売者のＤＮＡに関し、認証用に使用される情報である。また、情報Ｋ、Ｌ及びＭは識別対象物６の属性に関する情報であり、情報Ｋ及びＬは種類によっては内容が共通する情報、情報Ｍは１５の種類全てにおいて内容が異なる情報である。このように、蛍光剤３の発光によって得られる線スペクトル５の種類が人工ＤＮＡ２の種類数と同じかそれ以上の場合、線スペクトル５を人工ＤＮＡ２の各種類に対応させることで、線スペクトル５により得られる情報から人工ＤＮＡ２の情報を全て利用することが可能となる。例えば、１５種類の人工ＤＮＡ２が保持する情報を、現場で使用できるデータベース等に予め記録しておけば、線スペクトル５より区分が１５であることが判明した人工ＤＮＡ２については、識別対象物６に関する情報Ｋ３、Ｌ４及びＭ１５をその場で特定することができる。
【００４１】
なお、人工ＤＮＡ２の区分は、その種類（番号）に従ったものでなくてもよい。蛍光剤３として使用できる化合物の種類が限られ人工ＤＮＡ２の種類に対応できない場合は、人工ＤＮＡ２の種類によっては内容が共通する情報に従って区分を決めることもできる。例えば、表２に示す人工ＤＮＡ２の場合、その区分を、情報Ｋによるもの或いは情報Ｌによるものとしてもよい。人工ＤＮＡ２の種類とそこに保持される情報の内容、及び情報Ｋによる区分と情報Ｌによる区分との関係を表３に示す。
【表３】
2005055735.tif 000005
表３において、情報Ｋによる区分はその数が３つと、情報Ｌによる区分はその数が４つとなるので、蛍光剤として使用できる化合物は３種類あれば対応することができる。ただし、情報Ｋ或いは情報Ｌにより区分を決めた場合には、一つの区分に数種類の人工ＤＮＡ２が属することにるので、特定できる情報が制限されることになる。例えば、情報Ｋによる区分では、区分１に属する人工ＤＮＡ２は番号１〜５の５種類となるので、その人工ＤＮＡ２に関する情報としてＫ１を特定することはできるが、情報Ｌ、Ｍについては特定することができなくなる。
【００４２】
この識別対象物６の認証を行うには、人工ＤＮＡ２を抽出、分析することで再現される塩基配列情報を第１の識別情報とし、また、線スペクトル５を分析することで得られる情報を第２の識別情報として使用する。
【００４３】
この認証方法によれば、種類の数がほぼ無限で情報量も多い第１の識別情報と、必要に応じて即時に抽出できる第２の識別情報を組み合わせて使用することにより、現場で直ちに必要な情報は即時に抽出でき、しかも識別できる情報の種類に限りがなく、精度の高い認証を行うことができる。なお、蛍光剤の元素配合や製造方法を知らない第三者が正規の線スペクトルを発光する識別情報保持物や識別対象物を偽造することは極めて困難となることから、蛍光剤の線スペクトルの正誤によっても、現場で即時に認証を行うことが可能となる。
【００４４】
また、人工ＤＮＡ２と蛍光剤３を、識別対象物６にラベル７を介して付着させた識別情報保持物１（インク）に包含させることで、その形状や形態に関わらずあらゆる識別対象物６の認証を行うことができる。
【００４５】
更に、線スペクトル５を人工ＤＮＡ２に関連付けておくことにより、人工ＤＮＡ２の塩基配列情報に含まれるより多くの情報を有効に利用することができる。特に、人工ＤＮＡ２の塩基配列情報がなくても第２の識別情報のみで認証できる場合は、現場で即時に認証ができるようになる。例えば、線スペクトル５を人工ＤＮＡ２の各種類に対応させることができれば、線スペクトル５により得られる区分情報（ＤＮＡ番号）から人工ＤＮＡ２の情報を全て利用することが可能となり、即時に認証ができる。
【００４６】
図２は、本発明にかかる識別情報保持物の他の具体例を示す概念図である。なお、以下の具体例においては、上記具体例と実質的に同じ部分には同符号を付し、その説明を簡略化または省略するものとする。
この識別情報保持物１’は、人工ＤＮＡ２のみを含有するインク７ａを、蛍光剤３のみを含有する台紙７ｂに印刷して製造されたものであり、前記ラベル７に相当するものである。このように、人工ＤＮＡ２と蛍光剤３を異なる基材（インク７ａと台紙７ｂ）に各別に存在させることで、人工ＤＮＡ２と蛍光剤３を同一の物質に混在させることが困難な場合でも適用することができる。また、この識別情報保持物１’を使用しても、前記識別対象保持物１を使用した場合と同じ方法で識別対象物６の認証をすることができる。
【００４７】
識別対象物６が、自身との一体性が保証された包装材で覆われる場合には、人工ＤＮＡ２と蛍光剤３をその包装材に包含させ、その包装材を識別情報保持物とすることもできる。この場合も、識別対象物６を認証する方法は、前記識別対象保持物１や識別対象保持物１’を使用した場合と同様であるが、識別対象物６が包装されたままでも、必要な識別情報を抽出できるという利点がある。また、ラベル７を付着させることができないような識別対象物６（例えば流動体）に対する識別情報の付加が可能となる。
【００４８】
なお、可能であれば、識別対象保持物１又は１’を使用することなく、識別対象物６自身が人工ＤＮＡ２と蛍光剤３を有するものとしてもよい。この場合、識別対象物６と識別情報が一体不可分となり、識別対象物６に正しい識別情報を確実に対応させることができる。また、識別対象物６を認証する方法は、前記識別対象保持物１や識別対象保持物１’を使用した場合と同様であるが、識別情報保持物１又は１’の入れ替わりによる誤認証の発生を防止できるという利点がある。
【００４９】
図３に本発明にかかる識別情報保持物、識別対象物及び認証方法に使用される線スペクトルの他の具体例を示す。図３は、所定箇所における塩基の種類が線スペクトルに関連付けられた人工ＤＮＡとその線スペクトルの概念図であり、（ａ）は人工ＤＮＡを、（ｂ）は線スペクトルを示している。この場合にも、異なる波長λ１、λ２、λ３及びλ４の線スペクトルが得られる発光をする４種類の化合物Ｗ、Ｘ、Ｙ及びＺが蛍光剤３として使用されている。ただし、各化合物Ｗ、Ｘ、Ｙ及びＺは、それぞれの発光強度Ｉ１、Ｉ２、Ｉ３及びＩ４が、人工ＤＮＡ２の所定箇所Ｘ１、Ｘ２、Ｘ３及びＸ４の塩基の種類に対応するよう濃度調整されている。そして、その発光強度は、対応する塩基がシトシンＣの場合に最も強くなり、チミンＴの場合はシトシンＣの強度の４分の３に、グアニンＧの場合はシトシンＣの強度の半分に、そしてアデニンＡの場合はシトシンＣの４分の１になるように調整されている。
【００５０】
このように、線スペクトル５を、人工ＤＮＡ２の所定箇所における塩基の種類により関連付けると、人工ＤＮＡ２の塩基配列の一部を抽出した短い塩基配列情報のみであれば、線スペクトル５の分析のみで、直接かつ即時に抽出することが可能となる。
【００５１】
図４に本発明にかかる識別情報保持物、識別対象物及び認証方法に使用される線スペクトルの更に他の具体例を示す。図４は所定桁における数値が線スペクトルに関連付けられたデジタル信号とその線スペクトルの概念図であり、（ａ）はデジタル信号を、（ｂ）は線スペクトルを示している。この場合にも、異なる波長λ１、λ２、λ３及びλ４の線スペクトルが得られる発光をする４種類の化合物Ｗ、Ｘ、Ｙ及びＺが蛍光剤３として使用されている。ただし、各化合物Ｗ、Ｘ、Ｙ及びＺは、それぞれの発光強度が、デジタル信号４の所定箇所Ｘ５、Ｘ６、Ｘ７及びＸ８の数値に対応するよう濃度調整されている。そして、対応する数値が１の場合には発光を示し、０の場合には発光を示さないように調整されている。なお、デジタル信号４は、人工ＤＮＡ２の塩基配列情報をデジタル信号化したものとなっているが、デジタル信号４の代わりにその他人工ＤＮＡ２に関する情報をデジタル信号化したものであってもよい。
こうすると、人工ＤＮＡが保持するより多くの情報を直接かつ即時に抽出することが可能となる。
【図面の簡単な説明】
【００５２】
【図１】本発明にかかる識別情報保持物及び識別対象物とそこで使用されるＤＮＡ塩基配列並びにその発光から得られる線スペクトルを示し、（ａ）識別情報保持物及び識別対象物の構成を示す概念図、（ｂ）は人工ＤＮＡを示す概念図、（ｃ）は線スペクトルを示す概念図である。
【図２】本発明にかかる識別情報保持物の他の具体例を示す概念図である。
【図３】本発明にかかる識別情報保持物、識別対象物及び認証方法に使用される線スペクトルの他の具体例を示し、（ａ）は所定箇所における塩基の種類が線スペクトルに関連付けられた人工ＤＮＡを示す概念図、（ｂ）は線スペクトルを示す概念図である。
【図４】本発明にかかる識別情報保持物、識別対象物及び認証方法に使用される線スペクトルの更に他の具体例を示し、（ａ）は所定桁における数値が線スペクトルに関連付けられたデジタル信号を示す概念図、（ｂ）は線スペクトルを示す概念図である。
【符号の説明】
【００５３】
１    識別情報保持物
２    人工ＤＮＡ
３    蛍光剤
５    線スペクトル
６    識別対象物
【図１】
2005055735.tif 000006
【図２】
2005055735.tif 000007
【図３】
2005055735.tif 000008
【図４】
2005055735.tif 000009